(57)【要約】本発明は、一定速度でフィルムを巻き取りかつ/または巻き戻すための装置に関する。本発明による装置は、同軸上にあり同じ直径を有する2つの環状の支持部分を備え、その支持部分が互いに凹部で隔てられ、互いにフィルムの幅よりわずかに狭い間隔をおいて設けられ、前記2つの環状の支持部分が自由に回転可能であるリール(14)と、リールの2つのそれぞれの支持部分が、フィルムの横方向縁部を支えるようにフィルムをリールに巻き付けるため、フィルムを横方向に案内するように設計された案内手段(17a,18a)と、所定の中心角に対する円弧の長さに沿って前記それぞれの縁部に支えられた2本の平行な駆動ベルト(8a)とからなる。本発明は、走査型分析装置などの光電子装置内のフィルムに適用される。
2005516869.tif 000002
【特許請求の範囲】
【請求項１】
一定速度でフィルムを巻き取りかつ/または巻き戻すための装置であって、同軸上にあり同じ直径を有する2つの環状の支持部分を備え、前記支持部分が互いに凹部で隔てられ、互いにフィルム(3)の幅よりわずかに狭い間隔をおいて設けられ、前記2つの環状の支持部分が自由に回転可能であるリール(14)と、前記リールの前記2つの支持部分のそれぞれが、前記フィルムの横方向縁部を支えるように前記フィルムを前記リールに巻き付けるため、前記フィルムを横方向に案内するように設計された案内手段(17a,17b,18a,18b)と、所定の中心角に対する円弧の長さに沿って前記それぞれの縁部に支えられた2本の平行な駆動ベルト(8a,8b)と、を備えることを特徴とする装置。
【請求項２】
前記支持部分が互いに連結していることを特徴とする請求項1に記載の装置。
【請求項３】
前記支持部分が回転について互いに独立していることを特徴とする請求項1に記載の装置。
【請求項４】
前記ベルト(8a,8b)がモータ(11)によって駆動されることを特徴とする請求項1に記載の装置。
【請求項５】
前記リール(14)は2つの円形の側端部を備えた、くびれたリールであり、前記フィルム(3)の横方向縁部が前記くびれたリールの前記側端部上に載ることを特徴とする請求項1に記載の装置。
【請求項６】
前記くびれたリールは、その両端間に軸対称の凹形状を備えることを特徴とする請求項5に記載の装置。
【請求項７】
前記くびれたリールが、前記くびれたリールがその周りで回転するスピンドル(15)を備えることを特徴とする請求項1に記載の装置。
【請求項８】
前記スピンドルが並進移動可能であり、長円形の孔(16)に沿って案内されることを特徴とする請求項7に記載の装置。
【請求項９】
前記孔の主軸が、フィルムの縁部にかかるベルト(8a,8b)の接平面と直交していることを特徴とする請求項8に記載の装置。
【請求項１０】
前記案内手段は、前記くびれたリールの周りに取り付けられたアーム(17a,17b,18a,18b)を備えることを特徴とする請求項1に記載の装置。
【請求項１１】
前記案内アームの少なくとも1つは軸(0)を中心に回動することを特徴とする請求項10に記載の装置。
【発明の詳細な説明】
【技術分野】
【０００１】
本発明は、一定速度でフィルムを巻き取りかつ/または巻き戻すための装置に関する。この装置は、特に、走査型分析装置のような光電子装置内のフィルムに適用されるが、それに限定されるものではない。
【背景技術】
【０００２】
一般的に、フィルムは、モータで駆動されるスプールまたはリールを用いて巻き取られ、あるいは巻き戻される。
【０００３】
この方法は普遍的であるが、下記の多くの問題を生み出していることが認識できる：
フィルムは、巻き取られていない状態でアーチ形である。これは、フィルムを筒形の表面に巻き取るには、スプールの筒状の表面に対してフィルムを平らにするために少なくない抵抗力を必要とすることを意味する。したがってこの張力は、フィルム破損の危険を生み出す。さらに、この抵抗力が取り除かれると同時に、スプールに巻き取られたフィルムは膨らみ、徐々にリールから遊離する傾向があり、それに伴うあらゆる不具合が生じる；
フィルム駆動は、フィルムの全幅にわたって一様でなければならず、リールに現に巻かれているフィルムの厚さに係わらず一定の進行速度を生み出さなければならない。この結果、筒状のモータ駆動リールは、(巻取り厚さの関数としてスプールの駆動速度を変化させる)複雑で高価な装置を利用しない限り使用できないことが判明している；
フィルム駆動のために筒状スプールまたはリールを使用すると、フィルムの機能部分に(摩擦により)引っ掻き傷をつけたり、その部分を損傷したりする危険が高まる。
【発明の開示】
【発明が解決しようとする課題】
【０００４】
したがって、本発明のより具体的な目的は、
巻取り量と無関係な進行速度で、フィルムをその全幅にわたって一様に駆動すること、および
モータ駆動されていないリールにフィルムを巻き取ること
によって、これらの不都合を排除し、これらの問題を解決することである。
【課題を解決するための手段】
【０００５】
この目的を達成するために、本発明は、
同軸上にあり同じ直径を有する2つの環状の支持部分を備え、その支持部分が互いに凹部で隔てられ、互いにフィルムの幅よりわずかに狭い間隔をおいて設けられ、前記2つの環状の支持部分が自由に回転可能であるリールと、
リールの2つのそれぞれの支持部分が、フィルムの横方向縁部を支えるようにフィルムをリールに巻き付けるため、フィルムを横方向に案内するように設計された案内手段と、
所定の中心角に対する円弧の長さに沿って前記それぞれの縁部に支えられた2本の平行な駆動ベルトと、を備える装置を提供する。
【０００６】
好ましくは、支持部分は、互いに連結されていても、あるいは回転について互いに独立していてもよい。
【０００７】
いずれにせよ、モータで駆動される前記ベルトは、巻き付け厚さに関係なく、一定の線速度でフィルムを進行させ、リールにフィルムを巻き付ける。この装置は、周知の装置と異なり、上述の理由によりあらゆる破損の危険性を回避する。
【０００８】
本発明の一実施形態を、非限定的な実例として、添付図面を参照して以下で説明する。
【発明を実施するための最良の形態】
【０００９】
この例では、本装置の構造は、その頂部側に沿って配置された3つのスペーサ2a,2b,2cによって隔てられる2枚の平行な金属板1aおよび1bを備える。これら様々な部品が、フィルム3を案内し、駆動し、巻き付けるための装置を形成している剛体のユニットを形成する。2枚の金属板1aと1bとの間隔は、分析しようとするフィルム3の幅よりわずかに広い。
【００１０】
本発明による装置は、フィルムを案内し、駆動し、そして巻き取る手段を備える。
【００１１】
フィルム3案内装置は、イメージングゾーン内に2つの平行な同軸スプール4a,4b(そのうちスプール4aだけが示されている)を備え、スプール4a,4bはボールベアリングを介して回転可動に取り付けられ、対向する1対の平坦な要素5a,5b,6a,6b(このうち平坦な対向する要素5a,6aだけが示されている)によって所定の位置に保持される。フィルム3の各横方向縁部は、フィルムが円形経路をたどるように、これら2つのスプールのそれぞれと円弧の周りで接触する。したがって、この円形経路に沿った、その形状は、まっすぐな母線をもつ筒形である。この位置が、イメージエリア内にまっすぐで横向きの区域(straight transverse area)を生成し、その直ぐ前面には、前記2枚の板に連結された壁7に設けられ矩形スペースを形成する隙間が配置され、フィルムを通り抜けた光はこの隙間を進むことができる。
【００１２】
フィルム3駆動装置は、2本のベルト8aおよび9a(このうちの8aだけが示されている)を備え、ベルト8aおよび9aは同期して移動し、各々が円形経路の弧に沿ってフィルム3のそれぞれの横方向縁部を押す。それによって、フィルムの2つの横方向縁部を摩擦駆動させ、そのためこれら2つの縁部間の速度変化の可能性を排除する。2本のベルト8aおよび8bは、フィルム3に当たらない側に歯を有し、これらのベルトは、スピンドル10に取り付けられ、モータ11で駆動される同軸のスプロケット9aおよび9b、ならびにアイドルスプロケット(このうちスプロケット12aだけが示されている)によって駆動される。2本のベルト8aおよび8bは、このうち13a,13b,13cだけが示される2組のスプールによって張力を与えられ、定位置に配置される。
【００１３】
フィルム3巻取り装置は、その両端間に位置する軸対称の凹形状を有するくびれたリール14からなる。くびれたリール14は、スプール4a,4bのスピンドルと平行な、ばね復帰式スピンドル15に回転可能に取り付けられる。このスピンドルは、くびれたリール14に巻かれたフィルム3の厚さに応じて長円形孔16に沿って移動できるように案内される。長円形孔16の主軸は、フィルムの縁部にかかるベルトの接平面に直交するように延びる(かかる力は、長円形孔16の主軸と同一線上にある)。2組のアーム17a,17b,18a,18b(このうちの17aおよび18aだけが示されている)が、くびれたリール14の周りでフィルム3を案内する。アーム17a,17b(このうち17aだけが示されている)は、軸0上で回動し、フィルム3が、くびれたリール14にどれだけ巻き取られたかに関係なく、フィルム3の横方向縁部を押し付けるように設計されている。したがって、フィルム3の巻き取られた部分の量は、くびれたリールに巻き取られたフィルムの長さの関数として変化する。アーム18a,18b(このうち18aだけが示されている)は、フィルム3を挿入しあるいは取り外す最中に、それを案内するためのものである。
【００１４】
くびれたリールが駆動手段を持たないので、その角速度はフィルム3がどの位巻き取られたかに係わる。したがってフィルム3は、摩擦や張力を伴わずに、くびれたリール14に巻き取られる。
【図面の簡単な説明】
【００１５】
【図１】フィルムを案内し、駆動し、そして巻き取るための装置の様々な構成部品の位置を示す立面図である。
【図２】図1中のAAに沿った断面図である。
【図３】図1の部分透視図である。
【符号の説明】
【００１６】
0  軸
1a,1b  プレート
2a,2b,2c  スペーサ
3  フィルム
4a,4b  スプール
5a,5b,6a,6b  対向する平坦な要素
7  壁
8a,8b  ベルト
9a,9b  スプロケット
10  スピンドル
11  モータ
12a  スプロケット
13a,13b,13c  スプール
14  リール
15  スピンドル
16  孔(drilling)
17a,17b,18a,18b  アーム
【図１】
2005516869.tif 000003
【図２】
2005516869.tif 000004
【図３】
2005516869.tif 000005
【国際調査報告】
2005516869.tif 000006
2005516869.tif 000007
2005516869.tif 000008
2005516869.tif 000009
2005516869.tif 000010
2005516869.tif 000011